(57)【要約】【課題】  送電線等のための監視システムであって、データ収集端末装置の機能を損なうことなく斯かるデータ収集端末装置を飛躍的に小型化し低コスト化することができる監視システムを提供すること。【解決手段】  各種センサ３１ａ，３１ｂ，３１ｃ，…からの出力や警報は、監視回路４９の制御回路４３でまず暗号化されて送信データとされる。制御回路４３は、伝送回路４４ｂを介して携帯型電話機４４の制御回路４４ａに対し中央管理装置３５に対する接続指令を送る。監視回路４９の制御回路４３は、接続の完了を確認した場合、伝送回路４４ｂを介して暗号化された送信データを中央管理装置３５に送り出す。【選択図】  図３
2005114577.tif 000002
【特許請求の範囲】
【請求項１】
監視対象である所定設備の状態を検出する少なくとも１つのセンサと、
前記少なくとも１つのセンサの検出結果に対応して前記所定設備の状態に関する状態信号を発生する監視回路と、
電話回線を介しての通信を可能にする通信制御回路とユーザ・インターフェス部を含む付属装置とを有する携帯型の電話機であって、前記通信制御回路は、前記監視回路に対して接続されることによって、当該監視回路からの指示に応じて前記状態信号に対応するデータ信号を電話回線を介して所定の連絡先に送信するとともに、前記監視回路の制御下で当該監視回路と連携して監視機能に関連する所定の動作を前記付属装置に行わせる携帯型の電話機と
を備える監視システム。
【請求項２】
前記携帯型の電話機は、前記付属装置として、前記監視回路からの指示に応じてデータを表示するディスプレイを有することを特徴とする請求項１記載の監視システム。
【請求項３】
前記携帯型の電話機は、前記付属装置として、ユーザの指示を入力するための入力キーをさらに備え、前記通信制御回路は、前記入力キーの操作に応じた指令信号を前記監視回路に出力することを特徴とする請求項１及び請求項２のいずれか一項記載の監視システム。
【請求項４】
前記携帯型の電話機は、前記付属装置として、前記所定設備の状態を撮影する小型カメラと、当該小型カメラを動作させて画像データを取り込む画像取得回路とをさらに備えることを特徴とする請求項１から請求項３のいずれか一項記載の監視システム。
【請求項５】
前記通信制御回路は、前記監視回路からの指示信号に基づいて、前記小型カメラを動作させて前記画像取得回路に画像データを取り込ませるとともに、当該画像データを前記所定の連絡先に送信することを特徴とする請求項４項記載の監視システム。
【請求項６】
前記監視回路は、前記センサの検出結果に基づいて前記状態信号として前記所定設備の異常に相当する警報信号を発生し、前記通信制御回路は、前記警報信号を前記所定の連絡先に送信することを特徴とする請求項１から請求項５のいずれか一項記載の監視システム。
【請求項７】
前記通信制御回路は、前記携帯型の電話機宛に外部から送信された信号から前記監視回路に対する指令信号を抽出して当該指令信号を前記監視回路に転送することを特徴とする請求項１から請求項６のいずれか一項記載の監視システム。
【請求項８】
前記監視回路は、前記通信制御回路から転送されてきた暗号化された前記指令信号を復号化するとともに、前記状態信号を暗号化して前記通信制御回路に出力することを特徴とする請求項７記載の監視システム。
【請求項９】
前記所定の連絡先として前記携帯型の電話機と通信するともに当該携帯型の電話機及び前記監視回路の動作を管理する中央装置をさらに備えることを特徴とする請求項７記載の監視システム。
【発明の詳細な説明】
【技術分野】
【０００１】
本発明は、送電線、電波中継局等の各種設備の可動状態や異常を監視するための監視システムに関する。
【背景技術】
【０００２】
送電線の監視システムとして、送電線の対象箇所における温度等の諸データを遠隔的に監視するものが知られている（特許文献１）。このような監視システムでは、送配電線の複数箇所に電流センサからなるデータ収集端末装置を設けて、各データ収集端末装置間を有線伝送路等で結んでデータを順次収集し、これら収集したデータを中央装置で集約する。なお、以上の特許文献１では、データ収集端末装置間を結ぶ手段として、有線伝送路に代えて携帯電話等の無線伝送路を利用する可能性も示唆されている。
【特許文献１】特開２００２−１６２４３１号公報
【発明の開示】
【発明が解決しようとする課題】
【０００３】
上記のようなデータ収集端末装置については、さらなる小型化や低コスト化が望まれているにも拘わらず、現状では十分な小型化や低コスト化が達成されていない。例えば、データ収集端末装置からのデータを携帯電話で中央装置等に送信する場合においても、携帯電話を通信用の所謂モデムとして使用しているに過ぎず、データ収集端末装置の小型化や低コスト化には必ずしもつながらない。
【０００４】
そこで、本発明は、送電線等のための監視システムであって、データ収集端末装置の機能を損なうことなく斯かるデータ収集端末装置を飛躍的に小型化し低コスト化することができる監視システムを提供することを目的とする。
【課題を解決するための手段】
【０００５】
上記課題を解決するため、本発明に係る監視システムは、（ａ）監視対象である所定設備の状態を検出する少なくとも１つのセンサと、（ｂ）少なくとも１つのセンサの検出結果に対応して所定設備の状態に関する状態信号を発生する監視回路と、（ｃ）電話回線を介しての通信を可能にする通信制御回路とユーザ・インターフェス部を含む付属装置とを有する携帯型の電話機とを備える。ここで、携帯型の電話機に設けた通信制御回路は、監視回路に対して接続されることによって、当該監視回路からの指示に応じて状態信号に対応するデータ信号を電話回線を介して所定の連絡先に送信するとともに、監視回路の制御下で当該監視回路と連携して監視機能に関連する所定の動作を付属装置に行わせる。
【０００６】
上記監視システムでは、通信制御回路は、監視回路からの指示に応じて状態信号に対応するデータ信号を所定の連絡先に送信するだけでなく、監視回路の制御下で当該監視回路と連携して監視機能に関連する所定の動作を付属装置に行わせるので、ユーザ・インターフェス部等の携帯型電話機の付随的機能を有効に活用することができる。つまり、監視システムのうち監視対象である所定設備に比較的近接して配置される監視回路等で構成されるデータ収集端末装置を飛躍的に小型化することができ、結果として、低コスト化や低消費電力化を達成することができる。
【０００７】
また、本発明の具体的な態様では、携帯型の電話機が、付属装置として、監視回路からの指示に応じてデータを表示するディスプレイを有する。この場合、メンテナンス、修理等の目的でデータ収集端末装置をチェックする際に、センサ、監視回路等の動作状態を視覚的に確認することができ、データ収集端末装置の操作性を確保することができる。例えば、ディスプレイにセンサの出力に対応する状態信号を表示させれば、監視対象の状態やセンサの動作状態を確認することができる。
【０００８】
また、本発明の別の態様では、携帯型の電話機が、付属装置として、ユーザの指示を入力するための入力キーをさらに備え、通信制御回路が、入力キーの操作に応じた指令信号を監視回路に出力する。この場合、メンテナンス、修理等の目的でデータ収集端末装置をチェックする際に、ユーザからの指示を携帯型電話機の入力キーを介して監視回路に送ることができ、必要なデータを監視回路から簡易に取り出したり、監視回路の動作モードを簡易に変更したりすることができる。
【０００９】
また、本発明の別の態様では、携帯型の電話機が、付属装置として、所定設備の状態を撮影する小型カメラと、当該小型カメラを動作させて画像データを取り込む画像取得回路とをさらに備える。この場合、付属の小型カメラを利用して監視対象である所定設備の画像を取り込むことができる。このような監視画像は、例えば監視回路等からなるデータ収集端末装置を遠隔的に管理する中央装置からの要求に応じて中央装置に送信される。
【００１０】
また、本発明の別の態様では、通信制御回路が、監視回路からの指示信号に基づいて、小型カメラを動作させて画像取得回路に画像データを取り込ませるとともに、当該画像データを所定の連絡先に送信する。この場合、画像取得回路に取り込んだ監視対象の画像データを、例えば監視回路等からなるデータ収集端末装置を遠隔的に管理する中央装置からの要求に応じて中央装置に送信することができる。
【００１１】
また、本発明の別の態様では、監視回路が、センサの検出結果に基づいて状態信号として所定設備の異常に相当する警報信号を発生し、通信制御回路が、警報信号を所定の連絡先に送信する。この場合、監視対象である所定設備の異常を自動的に送信する警報機能を発揮させることができる。
【００１２】
また、本発明の別の態様では、通信制御回路が、携帯型の電話機宛に外部から送信された信号から監視回路に対する指令信号を抽出して当該指令信号を監視回路に転送する。この場合、中央装置からの指令信号に応じて監視回路等で構成されるデータ収集端末装置を遠隔的に管理することができる。
【００１３】
また、本発明の別の態様では、監視回路が、通信制御回路から転送されてきた暗号化された指令信号を復号化するとともに、状態信号を暗号化して通信制御回路に出力する。この場合、監視回路等からなるデータ収集端末装置の動作を部外者が妨害したり、その動作状態を盗聴・傍受することを防止でき、監視システムのセキュリティを高めることができる。
【００１４】
また、本発明の別の態様では、所定の連絡先として携帯型の電話機と通信するともに当該携帯型の電話機及び監視回路の動作を管理する中央装置をさらに備える。この場合、監視回路、携帯型電話機等を備えるデータ収集端末装置を中央装置にて遠隔管理することができる。特に、監視回路、携帯型電話機等を個別に備える多数のデータ収集端末装置を適所に配置すれば、これらを中央装置にて集中管理することができる。
【発明を実施するための最良の形態】
【００１５】
〔第１実施形態〕
図１は、本発明の第１実施形態に係る監視システムの全体的な構成を具体的に説明する図である。
【００１６】
この監視システム１０は、鉄塔２０に架設された送配電線２１の稼働状態を監視するためのものであり、送配電線２１に付帯して各種情報を検出する複数のセンサ３１ａ〜３１ｅと、各センサ３１ａ〜３１ｅの動作を制御するとともにこれらセンサ３１ａ〜３１ｅの検出結果を無線で送信するデータ収集端末装置３３と、データ収集端末装置３３との間で情報の授受を行う中央装置としての中央管理装置３５とを備える。なお、図示の場合、単一のデータ収集端末装置３３のみを示しているが、同図の中央管理装置３５によって、多数の異なる鉄塔にそれぞれ設けた多数のデータ収集端末装置（不図示）を一括して管理できることはいうまでもない。
【００１７】
センサ３１ａ〜３１ｅは、送配電線２１の状態を管理するために必要となる各種情報を検出するものである。この場合、例えば一対のセンサ３１ａ，３１ｂは、それぞれ変流器（ＣＴ）からなり、鉄塔２０に架設された送電線架空地線２１ａに流れる故障時誘導電流をそれぞれ検出する。ここで、一方のセンサ３１ａは、鉄塔２０を挟んで送電線架空地線２１ａの一方側部分に取り付けられており、他方のセンサ３１ｂは、鉄塔２０を挟んで送電線架空地線２１ａの他方側部分に取り付けられている。また、センサ３１ｃ〜３１ｅは、温度に応じて特性が変化する感温素子であり、鉄塔２０に架設された３つの送電線本線２１ｂに接するように取り付けられてその温度変化を個々に検出する。なお、図面では省略したが、送配電線２１に付帯して各種情報を検出するセンサとして、保守等の目的に応じて、各送電線本線２１ｂの電圧を非接触で検出する電圧センサ等を含む各種センサをデータ収集端末装置３３に適宜接続することができる。
【００１８】
中央管理装置３５は、例えば携帯型のコンピュータ５３ａからなり、電話回線を利用した無線通信によってデータ収集端末装置３３の動作を遠隔的に制御する。コンピュータ３５ａは、ＣＰＵ、メモリ、ディスプレイ等を備え、専用のアプリケーションプログラムによって動作する一般的なパーソナルコンピュータであり、例えば市販の携帯電話３５ｂを接続することにより、目的とする携帯電話（例えばデータ収集端末装置３３内に取り付けた携帯型電話機）に接続してデータの送信や受信を行うことができる。
【００１９】
図２は、主にデータ収集端末装置３３の回路構造を説明するブロック図である。データ収集端末装置３３は、防水等が施された容器４１中に収納されており、各センサ３１ａ〜３１ｅに接続されたインターフェース部４２と、インターフェース部４２の出力に応じて送配電線２１の状態に関する状態信号を発生する制御回路４３と、制御回路４３に接続されて制御回路４３と連携して動作する携帯型電話機４４と、インターフェース部４２の出力信号や携帯型電話機４４の出力信号に応じて動作する起動部４５と、起動部４５に電力を供給するバッテリ４６及び電源装置４７とを備える。
【００２０】
インターフェース部４２は、変流器（ＣＴ）であるセンサ３１ａやその他のセンサ３１ｂ〜３１ｅ（図１参照）からの検出信号を制御回路４３における信号処理に適合する信号（検出波形）に変換し、或いはいずれかのセンサ３１ａ〜３１ｅが適宜動作するように適当な駆動電力を供給するものである。
【００２１】
制御回路４３は、ＣＰＵ、メモリ等からなるマイコンチップを内蔵しており、データ収集端末装置３３を監視装置として適切に動作させるためのプログラムが書き込まれている。具体的に説明すると、制御回路４３は、一対のセンサ３１ａ，３１ｂからのインターフェース部４２を介しての検出波形に基づいて送電線本線２１ｂの故障の有無を判定するとともに、故障が発生したと判定した場合には、両センサ３１ａ，３１ｂの出力差に基づいて故障方向を評定する。また、制御回路４３は、３つのセンサ３１ｃ〜３１ｅからのインターフェース部４２を介しての検出信号値に基づいて送電線本線２１ｂの異常な温度上昇を検出する。また、制御回路４３は、適当なタイミングで携帯型電話機４４と通信を行って、携帯型電話機４４を介して外部の中央管理装置３５に必要な情報を送信するとともに、携帯型電話機４４を介して中央管理装置３５からの情報を受け取る。さらに、制御回路４３は、携帯型電話機４４と連携して監視装置機能を実現するべく、携帯型電話機４４のディスプレイ等のユーザ・インターフェース部を監視システムの恰も一部のごとく動作させる。
【００２２】
起動部４５は、変流器のセンサ３１ｂ〜３１ｅや感温素子のセンサ３１ｃ〜３１ｅの出力が所定の閾値を超えた場合に動作し、それまで休止中（平常時）であった制御回路４３を起動して電源装置４７からの電力をこれに供給する。また、起動部４５は、携帯型電話機４４への着信等に応じても動作し、それまで休止中（平常時）であった制御回路４３を起動して電源装置４７からの電力を供給する。制御回路４３が起動後必要な処理を完了した場合には、制御回路４３から起動部４５に制御信号が出力され、起動部４５からの電力供給を停止させる。つまり、制御回路４３への電力供給が停止され、データ収集端末装置３３が平常状態となる。
【００２３】
携帯型電話機４４は、市販されているものを流用しており、データ端子を利用して制御回路４３との間で通信が可能になっており、制御回路４３の制御下で制御回路４３と一体的に動作する。なお、携帯型電話機４４には、外部の適当なコンピュータ等を介して予め簡単なプログラムがインストールされており、制御回路４３との間で通信を行う機能、制御回路４３からの命令に基づいて監視結果を表示する等のユーザ・インターフェース機能等を有する。なお、後述するが、携帯型電話機４４は小型カメラを内蔵しており、容器４１の適所に設けた窓４１ａを介してデータ収集端末装置３３周辺の画像を取り込むことができるようになっている。この画像は、制御回路４３からの指令に基づいて中央管理装置３５に送信される。
【００２４】
図３は、データ収集端末装置３３の要部の回路構成をより詳細に説明するブロック図である。データ収集端末装置３３に設けたインターフェース部４２は、各センサ３１ａ，３１ｂ，３１ｃ，…に接続された検出回路４２ａ，４２ｂ，４２ｃ，…を備え、各センサ３１ａ，３１ｂ，３１ｃ，…からの信号を個別に処理しやすい状態で制御回路４３に供給する。このうち、インターフェース部４２及び制御回路４３は、センサ３１ａ〜３１ｅの検出結果に対応して送配電線２１の状態に関する状態信号を発生する監視回路４９として機能する。各検出回路４２ａ，４２ｂ，４２ｃ，…の出力については、それらのいずれかが所定の閾値を超えている場合には、起動部４５によって制御回路４３が起動され、制御回路４３では、異常が発生したものと判断して各センサ３１ａ，３１ｂ，３１ｃ，…の出力を解析し、必要であれば警報を携帯型電話機４４を介して外部に送信する。例えば、両センサ３１ａ，３１ｂの何れかが既定の閾値を超えて制御回路４３が起動された場合、制御回路４３は、両センサ３１ａ，３１ｂに対応する検出回路４２ａ，４２ｂからの電流波形をメモリに保管し、その電流波形から電流値を算出する。この電流値が上限電流値を超えている場合、送電線故障と判断する。制御回路４３にて送電線故障と判断された場合、制御回路４３は、両検出回路４２ａ，４２ｂの波形を比較して故障方向を判定する。以上のように送電線故障と判断された場合、制御回路４３は、携帯型電話機４４を介して中央管理装置３５（図１参照）に異常を知らせる警報信号を送信する。この警報信号には、データ収集端末装置３３を特定するＩＤ、検出した異常に関する情報（例えば故障方向等の異常の種類に関する情報）等が含まれる。なお、この電流値が上限電流値を超えていない場合、起動部４５によって制御回路４３が起動されている期間中、制御回路４３では、電流波形を更新しつつメモリに保管し、監視を継続する。
【００２５】
携帯型電話機４４は、電話回線網との間で通信を可能にするため、制御回路４４ａと伝送回路４４ｂとアンテナ４４ｃとを備える。このうち、伝送回路４４ｂは、入出力用のデジタル端子を備え、監視回路４９に設けた制御回路４３との間でデータ通信を行い得るようになっている。これにより、携帯型電話機４４側の制御回路４４ａを監視回路４９側の制御回路４３から監視・制御することができる。なお、制御回路４４ａ及び伝送回路４４ｂは、通信制御回路を構成する。
【００２６】
また、携帯型電話機４４は、ユーザ・インターフェス部として、入力キー４４ｅとディスプレイ４４ｆと小型カメラ４４ｇとを備える。なお、ディスプレイ４４ｆは、表示回路４４ｉに駆動されて動作し、表示回路４４ｉは、制御回路４４ａからの制御信号やデータ信号に応じて動作する。また、小型カメラ４４ｇは、画像取得回路４４ｊに駆動されて動作し、画像取得回路４４ｊは、制御回路４４ａからの制御信号に応じて動作して画像信号を適当なタイミングで制御回路４４ａに出力する。
【００２７】
ここで、入力キー４４ｅは、データ収集端末装置３３を保守のために操作するユーザの指示を入力するための入力装置として機能し、制御回路４４ａと協動して指令信号を発生する。この指令信号は、制御回路４４ａの動作に反映され、さらに、指令信号として伝送回路４４ｂを介して監視回路４９の制御回路４３に転送される。これにより、メンテナンス、修理等の目的でデータ収集端末装置３３を操作するユーザは、入力キー４４ｅを介して監視回路４９の動作モードを設定したり、必要なデータを監視回路４９から取り出すことができるので、監視回路４９自体の入力装置が不要となり、データ収集端末装置３３の小型化、低コスト化等を簡易に達成できる。
【００２８】
また、ディスプレイ４４ｆは、データ収集端末装置３３を保守のために操作するユーザに対して内部情報を提示するための表示装置として機能する。これにより、メンテナンス、修理等の目的でデータ収集端末装置３３を操作するユーザは、制御回路４４ａさらには伝送回路４４ｂを介して監視回路４９の制御回路４３からのメッセージ等を受け取ることができる。つまり、ユーザは、監視回路４９の制御回路４３との間で、間接的であるが対話型の情報入力を行うことができ、必要なデータを監視回路４９から読み出すことができ、さらには、必要なデータを監視回路４９に送り込むことができる。具体的には、例えば各センサ３１ａ，３１ｂ，３１ｃ，…の出力に対応する状態信号をディスプレイ４４ｆに適当な指標で表示させることができる。
【００２９】
また、小型カメラ４４ｇは、データ収集端末装置３３を監視カメラとして機能させる。これにより、監視回路４９の制御回路４３から、或いは中央管理装置３５からの遠隔的指示信号に応じて小型カメラ４４ｇに撮影を行わせることができ、小型カメラ４４ｇによって撮影した画像データを画像取得回路４４ｊに更新しつつ保管することができる。画像取得回路４４ｊに保管された画像データは、監視回路４９の制御回路４３から、或いは中央管理装置３５からの指示信号に応じて適宜読み出され、伝送回路４４ｂを介して中央管理装置３５に送信される。
【００３０】
以下、上記第１実施形態の監視システム１０の動作の一例について説明する。監視回路４９の制御回路４３は、伝送回路４４ｃを介して携帯型電話機４４の制御回路４３に指令信号を送る。携帯型電話機４４の制御回路４３では、小型カメラ４４ｇを動作させて画像を取り込むとともにその画像データを監視回路４９の制御回路４３に送り出す。監視回路４９の制御回路４３では、画像ファイルを他のデータとともに暗号化して送信データとする。その後、監視回路４９の制御回路４３は、伝送回路４４ｃを介して携帯型電話機４４の制御回路４４ａに中央管理装置３５に対する接続指令を送る。そして、監視回路４９の制御回路４３は、接続の完了を確認した場合、携帯型電話機４４の伝送回路４４ｃを介して、暗号化された送信データを中央管理装置３５に送り出す。
【００３１】
また、各種センサ３１ａ，３１ｂ，３１ｃ，…からの出力や警報は、監視回路４９の制御回路４３でまず暗号化されて送信データとされる。制御回路４３は、伝送回路４４ｂを介して携帯型電話機４４の制御回路４４ａに対し中央管理装置３５に対する接続指令を送る。監視回路４９の制御回路４３は、接続の完了を確認した場合、伝送回路４４ｂを介して暗号化された送信データを中央管理装置３５に送り出す。なお、中央管理装置３５から携帯電話３５ｂを介して送信された指令信号も暗号化されており、斯かる指令信号は、伝送回路４４ｂを介して監視回路４９の制御回路４３に転送される。制御回路４３では、暗号化された指令信号を複合化して、その指令内容に応じた指示信号を携帯型電話機４４の制御回路４４ａに対して出力する。
【００３２】
なお、画像データの取り込みは以下のような処理によって行うこともできる。監視回路４９の制御回路４３は、伝送回路４４ｂを介して携帯型電話機４４の制御回路４４ａに指示信号を送る。この制御回路４４ａでは、小型カメラ４４ｇを動作させて画像を取り込むとともにその画像データを画像取得回路４４ｊに一時的に保管する。その後、携帯型電話機４４の制御回路４４ａは、監視回路４９の制御回路４３からの指令を待って、中央管理装置３５に接続し、一時保管した画像データを電子ファイル等として中央管理装置３５に対して転送する。
【００３３】
〔第２実施形態〕
図４は、第２実施形態に係る監視システムの全体的な構成を具体的に説明する図である。この監視システム１１０は、放送設備１００を保守・管理する事業者が所有するシステムである。
【００３４】
放送設備１００は、基幹の放送局１０１と大型中継局１０２と多数の小型中継局１０３（１）〜１０３（ｎ）とからなる。放送局１０１は、送信装置１０１ａからの放送信号をパラボラアンテナ１０１ｂから出力する。ここで、大型中継局１０２は、中継設備１０２ａを備え、放送局１０１からの電波をパラボラアンテナ１０２ｂで受けるとともに、中継した電波をパラボラアンテナ１０２ｂを介して小型中継局１０３（１）〜１０３（ｎ）に転送する。小型中継局１０３（１）〜１０３（ｎ）は、受信アンテナ１０３ａ及び受信設備１０３ｂからなる受信部と、送信アンテナ１０３ｃ及び送信設備１０３ｄからなる送信部とをそれぞれ備える。これらの小型中継局１０３（１）〜１０３（ｎ）は、大型中継局１０２から送信された放送信号や、他の小型中継局１０３（ｋ）を介して中継された放送信号を受信アンテナ１０３ａで受信し、受信設備１０３ｂから送信設備１０３ｄに送り、最終的に送信アンテナ１０３ｃから放送信号を出力する。
【００３５】
一方、監視システム１１０は、ＷＥＢサーバシステム１１１とＷＥＢブラウザシステム１１２（１）〜１１２（ｎ）と、中継局１０２，１０３（１）〜１０３（ｎ）の送受信設備に組み込まれた監視装置１３０（０），１３０ａ（１）〜１３０ａ（ｎ），１３０ｂ（１）〜１３０ｂ（ｎ）とを備える。ここで、大型中継局１０２に設けた監視装置１３０（０）は、監視回路やセンサを備えるデータ収集端末装置８１を備え、ルータ８２を介してインターネットＩＮに接続可能となっている。また、各小型中継局１０３（１）〜１０３（ｎ）に設けた監視装置１３０ａ（１）〜１３０ａ（ｎ），１３０ｂ（１）〜１３０ｂ（ｎ）は、図３に示すデータ収集端末装置３３と同様の構造を有し、監視回路やセンサを備える端末本体１４９と、外部との送受信を可能にする携帯型電話機４４とを備える。なお、各監視装置１３０ａ（１）〜１３０ａ（ｎ），１３０ｂ（１）〜１３０ｂ（ｎ）は、中継局１０３（１）〜１０３（ｎ）の送受信設備の発熱、電気抵抗の変化、放電、電波出力の変動等をチェックする。
【００３６】
ＷＥＢサーバシステム１１１は、本体コンピュータ１１１ａと各種データベース１１１ｂとルータ１１１ｃとを備える。そして、ＷＥＢサーバシステム１１１は、インターネットＩＮ及び電話回線ＴＮを介して監視装置１３０（０），１３０ａ（１）〜１３０ａ（ｎ），１３０ｂ（１）〜１３０ｂ（ｎ）の状態を常時チェックしている。これにより、ＷＥＢサーバシステム１１１は、いずれかの監視装置１３０（０），１３０ａ（１）〜１３０ａ（ｎ），１３０ｂ（１）〜１３０ｂ（ｎ）が検出した異常や監視画像等の情報を、マルチメディアコンテンツの形式でインターネットＩＮ上に提供する。
【００３７】
ＷＥＢブラウザシステム１１２（１）〜１１２（ｎ）は、放送設備１００を保守・管理する事業者における出向者が携帯するものであり、インターネットＩＮにアクセス可能なコンピュータからなる。各ＷＥＢブラウザシステム１１２（１）〜１１２（ｎ）は、ＷＥＢサーバシステム１１１に対して特別のパスワード等を用いてアクセスすることができる。つまり、各ＷＥＢブラウザシステム１１２（１）〜１１２（ｎ）は、ＷＥＢサーバシステム１１１に対してコンテンツ閲覧要求することによって、監視装置１３０（０），１３０ａ（１）〜１３０ａ（ｎ），１３０ｂ（１）〜１３０ｂ（ｎ）が検出した動作状態や監視画像を取り込むことができる。
【００３８】
なお、放送局１０１もＷＥＢブラウザシステム１０１ｄを有しており、ルータ１０１ｅを介して各監視装置１３０（０），１３０ａ（１）〜１３０ａ（ｎ），１３０ｂ（１）〜１３０ｂ（ｎ）の状態、すなわち中継局１０２，１０３（１）〜１０３（ｎ）の送受信設備の状態をチェックできるようになっている。
【００３９】
以上実施形態に即して本発明を説明したが、本発明は上記実施形態に限定されるものではない。例えば、図２及び図３等に示すデータ収集端末装置３３は、上記送電線設備や放送ネットワークの監視システムに限らず、その他の製造プラント、運輸システム、公共設備等を含む様々なシステムにおいて、斯かるシステムの動作状態を管理する各種監視システムに適宜組み込むことができる。この場合、監視システムに組み込んだ携帯型電話機４４によって監視システムのうちのユーザ・インターフェース機能を実現させる。つまり、小型で安価な監視システムによって、各種設備の温度、動作状態等を検出することができ、或いは各種内設備の監視画像を遠隔の中央管理装置３５等に提供することができる。
【図面の簡単な説明】
【００４０】
【図１】第１実施形態に係る監視システムの全体的な構成を具体的に説明する図である。
【図２】主にデータ収集端末装置の回路構造を説明するブロック図である。
【図３】データ収集端末装置の要部の回路構成をより詳細に説明するブロック図である。
【図４】第２実施形態に係る監視システムの全体的な構成を具体的に説明する図である。
【符号の説明】
【００４１】
１０    監視システム
２０    鉄塔
２１    送配電線
３１ａ〜３１ｅ    センサ
３３    データ収集端末装置
３５ａ    コンピュータ    
３５ｂ    携帯電話    
３５    中央管理装置
４２    インターフェース部
４２ａ,４２ｂ,４２ｃ    検出回路
４３    制御回路
４４    携帯型電話機
４４ａ    制御回路
４４ｂ    伝送回路
４４ｃ    アンテナ
４４ｃ    伝送回路
４４ｅ    入力キー
４４ｆ    ディスプレイ
４４ｇ    小型カメラ
４４ｊ    画像取得回路
４５    起動部
４９    監視回路
【図１】
2005114577.tif 000003
【図２】
2005114577.tif 000004
【図３】
2005114577.tif 000005
【図４】
2005114577.tif 000006